(57)【要約】      （修正有）【課題】防草シートの形状を改良することにより、運搬する際の作業性、敷設する際の作業性が向上し、小場所への施工にも適した発電機能を有する防草シートを提供する。【解決手段】可撓性を有する素材で構成される防草シート１１と、防草シートに固定される太陽電池モジュール１５とを有しており、発電機能を有する防草シート１であり、太陽電池モジュールは、表面保護層１６と、裏面保護層１３と、表面保護層と裏面保護層との間に配置された封止材層１４と、封止材層に包摂されたシート状の太陽電池セルとを有するものであり、表面保護層と、裏面保護層と、封止材層とは、可撓性を有する合成樹脂で構成されており、太陽電池セルは、アモルファスシリコン層を有しており、可撓性を備えており、発電機能を有する防草シートは、方形のシート状であり、方形のシートを構成する辺のうち、最大長の辺の長さが、１〜２．５ｍである発電機能を有する。【選択図】図２
0003232136.tif 000002
【実用新案登録請求の範囲】
【請求項１】
可撓性を有する素材で構成される防草シートと、
防草シートに固定される太陽電池モジュールとを有しており、発電機能を有する防草シートであり、
太陽電池モジュールは、表面保護層と、裏面保護層と、表面保護層と裏面保護層との間に配置された封止材層と、封止材層に包摂されたシート状の太陽電池セルとを有するものであり、
表面保護層と、裏面保護層と、封止材層とは、可撓性を有する合成樹脂で構成されており、
太陽電池セルは、アモルファスシリコン層を有しており、可撓性を備えており、
発電機能を有する防草シートは、方形のシート状であり、方形のシートを構成する辺のうち、最大長の辺の長さが、１〜２．５ｍである発電機能を有する防草シート。
【請求項２】
裏面保護層は、表面保護層、封止材層、及び太陽電池セルに比して、撓みにくいものである請求項１に記載の発電機能を有する防草シート。
【請求項３】
封止材層を構成する可撓性を有する合成樹脂は、シリコーン樹脂を主成分とするものである請求項１に記載の発電機能を有する防草シート。
【考案の詳細な説明】
【技術分野】
【０００１】
本考案は、防草シートに対して固定された太陽電池モジュールを有しており、発電機能を有する防草シートに関する。
【背景技術】
【０００２】
以下の特許文献１に示すように、太陽電池モジュールを固定した防草シートが知られている。
【先行技術文献】
【特許文献】
【０００３】
【特許文献１】実用新案登録第３１７１３０２号公報
【考案の概要】
【考案が解決しようとする課題】
【０００４】
特許文献１に示す防草シートの形状は、特許文献１の図１記載のように、長大な長方形状である。特許文献１の防草シートを敷設する際には、その長大な形状により、施工現場へ防草シートを運搬する際の作業性や敷設する際の作業性において劣るものであった。また、特許文献１の防草シートは、長大な形状を有するため、小場所に施工するには不向きであった。
【０００５】
本考案は、防草シートの形状を改良することにより、運搬する際の作業性、敷設する際の作業性が向上し、小場所への施工にも適した発電機能を有する防草シートを提供することを目的とする。
【課題を解決するための手段】
【０００６】
可撓性を有する素材で構成される防草シートと、防草シートに固定される太陽電池モジュールとを有しており、発電機能を有する防草シートであり、太陽電池モジュールは、表面保護層と、裏面保護層と、表面保護層と裏面保護層との間に配置された封止材層と、封止材層に包摂されたシート状の太陽電池セルとを有するものであり、表面保護層と、裏面保護層と、封止材層とは、可撓性を有する合成樹脂で構成されており、太陽電池セルは、アモルファスシリコン層を有しており、可撓性を備えており、発電機能を有する防草シートは、方形のシート状であり、方形のシートを構成する辺のうち、最大長の辺の長さが、１〜２．５ｍである発電機能を有する防草シートにより、上記の課題を解決する。
【０００７】
上記の発電機能を有する防草シートは、方形のシート状であり、方形のシートを構成する辺のうち、最大長の辺の長さが、１〜２．５ｍである。従来の発電機能を備える防草シートに比して、小型であるため、運搬する際の作業性、敷設する際の作業性において優れており、小場所への施工も可能である。
【０００８】
上記の発電機能を有する防草シートにおいて、裏面保護層は、表面保護層、封止材層、及び太陽電池セルに比して、撓みにくいものにすることができる。表面保護層と封止材と太陽電池セルとは可撓性を備えている。これにより、例えば、発電機能を有する防草シートを地面に敷設した際には発電機能を有する防草シートが適度に撓んで地面の凹凸に沿うように敷設することができる。しかしながら、補強対策が施されていない場合は、発電機能を有する防草シートが意図せず過剰に折れ曲がることがある。発電機能を有する防草シートが過剰に折れ曲がると、太陽電池セルが破損して、発電機能が失われることがある。発電機能を有する防草シートは、封止材層及び太陽電池セルに比して撓みにくい裏面保護層を設けることにより、発電機能を有する防草シートを運搬したり敷設したりする際などに、発電機能を有する防草シートが過剰に折れ曲がって、太陽電池セルが破損することを防止することができる。
【０００９】
上記の発電機能を有する防草シートにおいて、封止材層を構成する可撓性を有する合成樹脂は、シリコーン樹脂を主成分とするものにすることができる。これにより、封止材に可撓性と難燃性とを付与して、燃えにくくすることができる。
【考案の効果】
【００１０】
本考案によれば、防草シートの形状を改良することにより、運搬する際の作業性、敷設する際の作業性が向上し、小場所への施工にも適した発電機能を有する防草シートを提供することができる。
【図面の簡単な説明】
【００１１】
【図１】発電機能を有する防草シートの一実施形態を示す平面図である。
【図２】図１のＡＡ部における断面図である。
【図３】図１の防草シートに固定する太陽電池モジュールのみを示す断面図である。
【考案を実施するための形態】
【００１２】
本考案の発電機能を有する防草シートの実施形態について説明する。以下に示す発電機能を有する防草シートの実施形態は、本考案の限られた例に過ぎず、本考案の技術的範囲は以下の実施形態に限定されるものではない。
【００１３】
［第１実施形態］
図１及び図２に示すように、本実施形態の発電機能を有する防草シート１は、可撓性を有する素材で構成される防草シート１１と、防草シート１１に固定され、可撓性を有する太陽電池モジュール１２とを有する。防草シート１１と太陽電池モジュール１２との固定方法は、特に限定されないが、本実施形態の発電機能を有する防草シート１では、後述する太陽電池セル１５の外側部分で、後述する表面保護層１６と充填材層１４と裏面保護層１３と防草シート１１とを連結するように、太陽電池モジュール１２と防草シート１１とを縫合することによって、両者が固定されている。
【００１４】
防草シートは、可撓性を有する素材で構成されており、草の生育を阻害することができるものであればよい。防草シートを構成する素材について特に限定されないが、本実施形態の発電機能を有する防草シート１では、防草シート１１は可撓性と遮光性とを有する不織布で構成される。
【００１５】
図３に示しように、太陽電池モジュール１２は、表面保護層１６と、裏面保護層１３と、表面保護層１６と裏面保護層１３との間に配置された封止材層１４と、封止材層１４に包摂されたシート状の太陽電池セル１５とを有する。
【００１６】
封止材層は、可撓性と透光性を有する合成樹脂で構成される。本実施形態の発電機能を有する防草シート１では、封止材層１４は、シリコーン樹脂を主成分とする。シリコーン樹脂は、硬化した状態では、炎に近づけても簡単には燃焼しない。このため、封止材としてシリコーン樹脂を使用することで、着火、引火、又は延焼を防ぐ効果が得られる。これにより、例えば、短絡が生じた際などに、太陽電池モジュールを燃えにくくすることができる。
【００１７】
シリコーン樹脂に対して、プラチナ、窒素、塩素、臭素などを含有する物質を配合してもよい。難燃性を有する物質を含有させることによって、封止材層に自己消火性能を付与し、難燃性をさらに向上させることができる。
【００１８】
封止材層を構成する素材は、シリコーン樹脂に限定されず、透光性と可撓性を有するその他の合成樹脂を使用することができる。その他の合成樹脂としては、例えば、ポリエチレン系の合成樹脂を使用することができる。
【００１９】
太陽電池セル１５は、アモルファスシリコン層を有しており、可撓性を備えている。太陽電池セルは、折り畳むなど、過剰に折り曲げない限り破損せず、湾曲した状態でも発電することができる。
【００２０】
表面保護層１６及び裏面保護層１３は、封止材層１４及び太陽電池セル１５を保護する目的で設けられる。表面保護層は、可撓性と透光性を備えるものであればよい。裏面保護層には、透光性は必ずしも必要はなく、可撓性を備えるものであればよい。
【００２１】
［第２実施形態］
本実施形態の発電機能を有する防草シートの構造は、第１実施形態の発電機能を有する防草シート１と同様であるので、図１ないし図３と同じ図面の符号により説明する。本実施形態の発電機能を有する防草シート１では、裏面保護層１３として、表面保護層１６、封止材層１４、及び太陽電池セル１５に比して、撓みにくい素材を使用している。そのような素材としては、特に限定するものではないが、例えば、表面保護層１６に比して厚みがあり、ポリエチレンテレフタレート（ＰＥＴ）を構成素材として含むバックシートが挙げられる。
【００２２】
本実施形態の発電機能を有する防草シート１では、裏面保護層１３は、封止材層１４及び太陽電池セル１５の過剰な折れ曲がりを規制する補強層として機能する。裏面保護層１３は、発電機能を有する防草シート１を運搬したり、施工したりする際に、発電機能を有する防草シート１に適度な剛性を付与して、発電機能を有する防草シート１が意図せずに過剰に折れ曲がることによる太陽電池セルの破損を防止することができる。裏面保護層１３は、発電機能を有する防草シート１の可撓性を完全に奪うものではない。このため、例えば、発電機能を有する防草シート１を地面に敷設した際には、発電機能を有する防草シート１は地面の凹凸に追従することが可能である。裏面保護層の厚み、素材は、上記の構成に限定されず、その他素材、厚みにしてもよい。
【００２３】
上記の第１実施形態及び第２実施体に係る発電機能を有する防草シートは、いずれも、方形のシート状であり、方形のシートを構成する辺のうち、最大長の辺の長さが、１〜２．５ｍである。具体的には、図１に示したように、発電機能を有する防草シート１は長方形状であり、縦方向に延在する最大長の辺の長さが１〜２．５ｍの範囲である。発電機能を有する防草シート１は、従来品に比べてサイズが小さい。このため、発電機能を有する防草シート１を運搬したり、施工したりする際に、取り回しがよく、作業性がよい。また、壁に囲まれた区画など、面積の小さい場所へも敷設しやすい。また、発電機能を有する防草シート１は、適度な可撓性を備えており、例えば、凹凸のある地面や法面の形状に追従するように変形し、様々な場所に施工することが可能である。第１実施形態の発電機能を有する防草シートは、上述の通り、これに加えて燃えにくいという特徴を有する。第２実施形態の発電機能を有する防草シートは、これに加えて、過剰な折れ曲がりにより太陽電池セルが破損しにくいという特徴を有する。
【符号の説明】
【００２４】
１        発電機能を有する防草シート
１１      防草シート
１２      太陽電池モジュール
１３      裏面保護層
１４      封止材層
１５      太陽電池セル
【図１】
0003232136.tif 000003
【図２】
0003232136.tif 000004
【図３】
0003232136.tif 000005